(57)【要約】【課題】斬新かつ意外性のある楽しさを併有し、特に女の子に喜ばれる薬玉的機能を有するカード類を、簡単かつ確実に挟持でき、郵送や配送等に便利な偏平型ホルダーを提供する。【解決手段】偏平型ホルダー１はカード類Ｃを抜き出し可能に挟持する挟持部２を備えてなる。カード類Ｃは偏平袋１０内に、折り重ねられるか又は巻き込まれた垂幕１１を偏平袋１０の開放底２６から引き出し可能に収納するとともに、垂幕１１の折り重ね部もしくは巻き込み部に巻テープ１２や紙吹雪１３等の舞散物１４を介在させてある。使用時には偏平型ホルダー１からカード類Ｃを抜き出し、垂幕１１を引き出すと、垂幕１１が垂れ下がると共に舞散物１４が舞い散ったり、舞い落ちたりする。【選択図】　　　図２
2004017312.tif 000002
【特許請求の範囲】
【請求項１】
底開放状の偏平袋内に、折り重ねられるかもしくは巻き込まれた垂幕を前記偏平袋の開放底から引き出し可能に収納するとともに、前記垂幕の折り重ね部もしくは巻き込み部に巻テープや紙吹雪等の舞散物を介在させてあるカード類を、抜き出し可能に挟持する挟持部を備えてなることを特徴とする、偏平型ホルダー。
【請求項２】
前記カード類が垂幕のほぼ上半分を前記偏平袋内に折り重ね状に収納し、ほぼ下半分を偏平袋の外側に折り重ねており、前記挟持部に前記偏平袋がこれの外側に折り重ねられた前記垂幕と共に挟持されている、請求項１記載の偏平型ホルダー。
【請求項３】
前記垂幕に引紐部材を付けてある、請求項１又は２記載の偏平型ホルダー。
【発明の詳細な説明】
【０００１】
【発明の属する技術分野】
本発明は、グリーティングカードや飾物などに使用される薬玉的機能を有するカード類を保持する偏平型ホルダーに関する。
【０００２】
【従来の技術】
クリスマスや誕生日などに祝いの言葉を記して贈るグリーティングカードは存在し、また開店祝の贈物などに用いる、玉が二つに割れて、中から五色の紙片などが散るようにした薬玉も存在する。
【０００３】
【発明が解決しようとする課題】
しかるに、グリーティングカードは祝いの言葉や絵などが記されているに過ぎず、単調で変化に乏しい。また薬玉は開店祝の贈物などに使われるが、嵩張るため郵送や配送などに不利不便である。
【０００４】
本発明の目的は、上記のような実情に鑑みて斬新かつ意外性のある楽しさを併有し、特に女の子に喜ばれる薬玉的機能を有するカード類を、簡単かつ確実に挟持でき、郵送や配送等に便利な偏平型ホルダーを提供することにある。
【０００５】
【課題を解決するための手段】
本発明の偏平型ホルダーは、底開放状の偏平袋内に、折り重ねられるかもしくは巻き込まれた垂幕を前記偏平袋の開放底から引き出し可能に収納するとともに、前記垂幕の折り重ね部もしくは巻き込み部に巻テープや紙吹雪等の舞散物を介在させてあるカード類を、抜き出し可能に挟持する挟持部を備えてなることに特徴を有するものである。
【０００６】
【作用】
上記構成の偏平型ホルダーの挟持部からカード類を抜き出し、偏平袋内に折り重ねられるかもしくは巻き込まれている垂幕を偏平袋の底から引き出すと、垂幕が垂れ下がるとともに、巻テープや紙吹雪等の舞散物が舞い散ったり、舞い落ちたりし、意外性があって興趣が増し、楽しむことができる。その際、舞散物は垂幕の折り重ね部もしくは巻き込み部に介在させてあるので、垂幕の垂れ下げと同時に、舞散物の舞い散らしや舞い落としが確実に行える。
【０００７】
カード類の偏平袋は底を開放状に形成しているので、使用時に偏平袋の開放底から垂幕及び舞散物をスムーズに垂れ下げたり、舞い散らしたりすることができる。
【０００８】
カード類は偏平袋を使用し、この偏平袋に垂幕を折り重ね状もしくは巻き込み状に収納するとともに、巻テープや紙吹雪等の舞散物を垂幕の折り重ね部もしくは巻き込み部に介在させたうえで偏平型ホルダーの挟持部に挟持させてあるので、全体が嵩張らず、薄型化できて郵送や配送等に有利となる。
【０００９】
偏平袋の底を開放状に形成してあると、郵送や配送時等に、巻テープや紙吹雪等の舞散物が垂幕の折り重ね部もしくは巻き込み部から偏平袋の開放底の外部へこぼれ出やすいという不測の事態が生じる恐れがある。しかし、郵送や配送時にはカード類は偏平型ホルダーの挟持部に挟持してあり、その挟持作用により巻テープや紙吹雪等の舞散物は垂幕の折り重ね部もしくは巻き込み部に介在した状態が維持されるので、かかる不測の事態を招くことはない。
【００１０】
一つの好適な態様として、本発明による偏平型ホルダーは、カード類が垂幕のほぼ上半分を偏平袋内に折り重ね状に収納し、ほぼ下半分を偏平袋の外側に折り重ねておくことが、贈り主が偏平袋の外側に折り重ねてある垂幕のほぼ下半分を一旦展開させてこれに祝いの言葉などのメッセージを書き、しかる後元通り偏平袋の外側に折り重ね、偏平型ホルダーに納めて贈るといった使用法を採ることができる点で好ましい。
その際、偏平袋はこれの外側に折り重ねられた垂幕のほぼ下半分と共に偏平型ホルダーの挟持部に挟持すると、上記した舞散物の偏平袋底からの落下防止とともに、偏平袋の外側に折り重ねられた垂幕のばらつき防止を図ることができる。
【００１１】
また、垂幕には引紐部材を付けておくことが、垂幕を引き出し易くする点で好ましい。
【００１２】
【発明の実施の形態】
本発明の好適な実施形態を図面に基づき説明する。図１は本発明の一実施例の偏平型ホルダーにカード類を納めた状態の外観斜視図、図２は図１におけるＡ―Ａ線断面図、図３は偏平型ホルダーからカード類を抜き出した状態の斜視図、図４はカード類の使用状態を示す斜視図である。
【００１３】
本発明に係る偏平型ホルダー１は、図１ないし図３に示すように、薬玉的機能を有するカード類Ｃを抜き出し可能に挟持する挟持部２を備える。偏平型ホルダー１の挟持部２は互いに重ね合わされるハート形等所望形状の表面板２１と裏面板２２からなり、その表裏面板２１，２２の左右両サイド付近Ｐ１，Ｐ２の重合面間のみを一体に接着し、その左右方向中間部Ｐ３の非接着重合面間にカード類Ｃを強い挟持力でかつ抜き出し可能に挟み込み得るように構成してある。表裏面板２１，２２の左右両サイド付近の重合面間を一体に接着するに代えて、表裏面板２１，２２の左右サイドの一端同士は一体に折曲連設し、他端の重合面間同士のみを一体に接着することもできる。表面板２１の表面にはメッセージ等を書き込むことができる。
【００１４】
偏平型ホルダー１の挟持部２は、表面板２１と、この表面板２１と同一もしくは略同一の形状を呈する裏面板２２とで構成する以外に、図８に示すごとく表面板２１と、この裏面側に両端部が接合一体化される帯部２３とで構成することもできる。
【００１５】
カード類Ｃは、図１および図２に示すように、紙、プラスチックシートなどで底開放状の偏平袋１０を形成し、この偏平袋１０内に紙、布、プラスチックフィルムなどで帯長状に形成した垂幕１１を折り重ねて収納し、垂幕１１の折り重ね部間には、１個もしくは２個以上のさまざまな色の巻テープ１２や、色取り取りの紙吹雪１３等の舞散物１４を介在させてある。
【００１６】
偏平袋１０はこれの正面に使用説明等を書くことのできる余白１５を備える（図３参照）。偏平袋１０の上端部には柱や壁などに吊下げるための吊下げ用孔１８を設けている。図５は偏平袋１０の一例を示す展開図であり、この偏平袋１０は正面板１０ａの左右両側に背面板１０ｂ，１０ｂを折れ線１０ｃ，１０ｃを介して連設し、背面板１０ｂ，１０ｂの各上端に、正面板１０ａの上端に貼り付けられる折返片１０ｄを付設している。
【００１７】
垂幕１１はジグザグ状に折り曲げられるように折目１９が長手方向に所定間隔おきに付けられており（図４参照）、これの上端部１１ａが偏平袋１０の内部に接着剤や接着テープ、ステープルなどで止め付けられ、下端側には紅白色などの引紐部材２０を付けている。引紐部材２０は垂幕１１を偏平袋１０内に折り畳んで収納する際に偏平袋１０の開放底２６から露出させておくことで垂幕１１の引き出し操作を容易にする。垂幕１１には「おめでとう」等の祝いの言葉や絵などを記すことができる。
【００１８】
図２に示すように、舞散物１４の一例である巻テープ１２はこれの巻終端１２ａが偏平袋１０の内部又は垂幕１１の上端側に接着剤や接着テープ、ステープルなどで止め付けられたうえで、垂幕１１の折り重ね部間に紙吹雪１３と共に介在される。巻テープ１２の巻終端１２ａを垂幕１１の上端側に止め付ける手段として、上記のほかに、図６に示すように、垂幕１１の上端に突片１１ｂを設け、この突片１１ｂに止め輪２５を引っ掛け、この止め輪２５に巻テープ１２の巻終端１２ａを止め付けることもできる。
【００１９】
このように偏平袋１０に垂幕１１及び舞散物１４を収納したカード類Ｃは、偏平袋１０の開放底２６から不測に舞散物１４がこぼれ出ることのないように偏平型ホルダー１の挟持部２に抜き出し可能にかつ挟持状態に納められる。
【００２０】
使用に際しては、図３に示すごとくカード類Ｃを偏平型ホルダー１の挟持部２から抜き出し、引紐部材２０を引くと、図４に示すように、垂幕１１が偏平袋１０の開放底２６から垂れ下がり、これと同時に巻テープ１２や紙吹雪１３等の舞散物１４が舞い散ったり、舞い落ちたりする。使用後は吊下げ用孔１８を利用して壁や柱等に掛けてそのまま飾りとして置くことができる。また、偏平袋１０の開放底２６から垂幕１１を略下半分だけ引き出し、これに祝いの言葉などのメッセージを書いたうえで元通り偏平袋１０に折り重ね状態に収納して贈るといった使用法も可能である。
【００２１】
贈り主が垂幕１１にメッセージを書く前に上記のように垂幕１１を偏平袋１０に出し入れする手間を省くために、図７に示すように、当初からメッセージを書くに必要な長さ分の垂幕１１の略下半分１１Ｂだけは偏平袋１０の開放底２６から露出させて偏平袋１０の背面板１０ｂの外側に折り重ねておくことができる。なお、垂幕１１の略上半分１１Ａは偏平袋１０内に折り重ね状に収納されている。
このように偏平袋１０の外側に折り重ねられた垂幕１１の略下半分１１Ｂはばらつくことのないように偏平型ホルダー１の挟持部２に偏平袋１０と共に挟持される状態に差し込まれる。
【００２２】
これによれば、贈り主がメッセージを垂幕１１に書くときは、偏平袋１０の外側に折り重ねてある垂幕１１を展開させてメッセージを書いた後、元通り偏平袋１０の外側に折り重ねて偏平型ホルダー１の挟持部２に納めるという簡単な使い方が実現できる。
【００２３】
上記実施例では垂幕１１が折り重ねられるが、図９に示すように垂幕１１は渦巻き状に巻き込むようにすることもできる。この場合、巻終端１２ａが偏平袋１０の内部または垂幕１１の上端側に止め付けられた１個もしくは２個以上の巻テープ１２や紙吹雪１３等の舞散物１４は、巻き込む前の展開状態の垂幕１１の片面上に載せて垂幕１１と共に巻き込まれることにより巻き込み部に介入される。引紐部材２０は一端部が垂幕１０の巻始端部に止め付けられて巻き込まれ、引張り側の他端部２０ａが露出されている。
【００２４】
【発明の効果】
本発明によれば、垂幕を垂れ下げるとともに、巻テープや紙吹雪等の舞散物を舞い落としたり、舞い散ったりさせるという薬玉的機能を発揮し、また誕生日カードやクリスマスカードとして偏平袋や垂幕にメッセージを書いて贈れるというカード類を、確実かつ簡単に挟持することができ、また薄型で嵩張らず、郵送や配送等に便利である。また、偏平型ホルダーはカード類を挟持状態に保持することにより、使用時に偏平袋の底から垂幕及び舞散物をスムーズに垂れ下げたり、舞い散らしたりすることができるように該偏平袋を開放底に形成しているにもかかわらず、郵送や配送時等に偏平袋の開放底から舞散物がこぼれ出る不測の事態を防止できるという利点がある。
【図面の簡単な説明】
【図１】一実施例の偏平型ホルダーに薬玉的機能を有するカード類を納めた状態の外観斜視図である。
【図２】図１におけるＡ―Ａ線断面図である。
【図３】偏平型ホルダーからカード類を抜き出した状態の斜視図である。
【図４】カード類の使用状態を示す斜視図である。
【図５】カード類の偏平袋の展開平面図である。
【図６】カード類の垂幕に対する巻テープの取付け例を示す斜視図である。
【図７】他の実施例の偏平型ホルダーを図２に相応して示す断面図である。
【図８】更に他の実施例の偏平型ホルダーを裏面側から見た斜視図である。
【図９】垂幕の変形例を示す斜視図である。
【符号の説明】
１　偏平型ホルダー
２　挟持部
１０　偏平袋
１１　垂幕
１２　巻テープ
１３　紙吹雪
１４　舞散物
２０　引紐部材
【図１】
2004017312.tif 000003
【図２】
2004017312.tif 000004
【図３】
2004017312.tif 000005
【図４】
2004017312.tif 000006
【図５】
2004017312.tif 000007
【図６】
2004017312.tif 000008
【図７】
2004017312.tif 000009
【図８】
2004017312.tif 000010
【図９】
2004017312.tif 000011